(57)【要約】【課題】  大きさの異なる書類の提示位置を分かりやすく、書類のセット作業を容易にし、セットされる書類の傾きやずれを防止する。【解決手段】  読取り装置１ａは、上板１３上に形成され大型書類に対応した平面形状の透明な読取り面１０と、上板１３に対して開閉自在に設けられた下蓋１２と、読取り面１０の下に配置された光学読取り手段１８とを備えいてる。下蓋１２には、小型書類提示部１４が、小型書類に略対応した平面形状の凹部として形成されている。提示部１４は、下蓋１２の閉鎖時に読取り面１０を臨む透明な底面１４ａと、下蓋１２の上面に形成された開口１４ｂとを有している。この開口１４ｂ全体を覆える上蓋１６が下蓋１２に対して開閉自在に設けられている。読取り面１０および提示部１４の底面１４ａ上には、それぞれ大型書類および小型書類の縁を当接させて各書類の位置を合わせるためのガイド部が設けられている。【選択図】  図４
2005159552.tif 000002
【特許請求の範囲】
【請求項１】
小型書類と、この小型書類よりも面積の大きい大型書類のそれぞれの記載内容を読み取るための画像読取り装置において、
前記大型書類に略対応した平面形状を有する透明な読取り面と、
この読取り面に対して開閉自在に設けられ、閉じた時に前記読取り面を覆う下蓋と、
前記小型書類に略対応した平面形状の凹部として前記下蓋に形成され、前記下蓋を閉じた時に前記読取り面を臨む透明な底面と、前記下蓋の上面に形成された開口とを有する小型書類提示部と、
前記下蓋に対して開閉自在に設けられ、閉じた時に前記小型書類提示部の開口を覆う上蓋と、
前記読取り面を通じて前記大型書類の記載内容を読み取ると共に、前記読取り面と前記小型書類提示部の底面とを通じて前記小型書類の記載内容を読み取るための光学読取り手段と、
を備えたことを特徴とする画像読取り装置。
【請求項２】
前記上蓋内に、前記小型書類提示部の底面に向けて光を照射するための上部光源が設けられており、
前記光学読取り手段は、前記上部光源による前記小型書類の透過画像を読み取り可能に構成されている、ことを特徴とする請求項１記載の画像読取り装置。
【請求項３】
前記読取り面に、前記大型書類の縁を当接させてその位置を合わせるための大型書類ガイド部を設けた、ことを特徴とする請求項１又は２記載の画像読取り装置。
【請求項４】
前記小型書類提示部の底面に、前記小型書類の縁を当接させてその位置を合わせるための小型書類ガイド部を設けた、ことを特徴とする請求項１乃至３のいずれかに記載の画像読取り装置。
【請求項５】
請求項１乃至４のいずれかに記載の画像読取り装置を備え、
この画像読取り装置で読み取られた前記大型書類および前記小型書類の記載内容に基づく所定の契約受付処理を行うことを特徴とする自動契約受付機。
【発明の詳細な説明】
【技術分野】
【０００１】
本発明は、小型書類（例えば運転免許証等の身分証明書）と、この小型書類よりも面積の大きい大型書類（例えばＡ４サイズの申込書や契約書）のそれぞれの記載内容を読み取るための画像読取り装置に関する。また本発明は、そのような画像読取り装置を備えた、貸付契約等の所定の契約受付処理を行うための自動契約受付機に関する。
【背景技術】
【０００２】
上記のような画像読取り装置を備えた自動契約受付機は、一般に、銀行や消費者金融等の金融機関の店舗（典型的には消費者金融の無人店舗）に設置される。そのような自動契約受付機は、例えば以下のような新規貸付契約処理を行うように構成されている。
【０００３】
まず、顧客（利用者）が記入した申込書と運転免許証等の身分証明書の記載内容が画像読取り装置（スキャナ）で読み取られ、金融機関等のセンター（オペレータ端末）に送信される。センターでは送信された内容に基づいて審査が行われ、審査に合格すれば自動契約受付機より契約書が発行される。そして、顧客が署名等を記入した契約書の記載内容がスキャナで読み取られ、センターに送信される。センターでは送信された内容が確認され、問題なければ、自動契約受付機の機体内に契約書が取り込まれ、自動契約受付機からローンカード等のカードが発行される。
【０００４】
このような自動契約受付機の画像読取り装置は、運転免許証等の身分証明書（小型書類）と、これよりも面積の大きい（通常Ａ４サイズの）申込書や契約書（大型書類）の記載内容をそれぞれ読み取る必要がある。このように大きさの異なる書類に対応した画像読取り装置としては、特許文献１や特許文献２に記載されたものがある。
【０００５】
まず、特許文献１に記載されたものは、タッチパネルディスプレイを兼ねたスキャナの読取り面上に、書類の大きさに応じた提示位置の枠線を画像表示するように構成されている。また、特許文献２に記載されたものは、特許文献１と同様の読取り面上において、書類を押さえるための蓋が書類の大きさに応じてスライド式に伸縮するように構成されている。
【特許文献１】特開平０９−２５１４９６号公報（［００４１］〜［００４４］欄、図３、図４、図６）
【特許文献２】特開平１０−１５４１９６号公報（［００３３］〜［００３５］欄、図１２）
【発明の開示】
【発明が解決しようとする課題】
【０００６】
上述したような従来の画像読取り装置には、次のような問題点がある。
【０００７】
まず、顧客は、読取り面上に表示された枠線だけを頼りに、大きさの異なる書類をそれぞれ読取り面上の正しい提示位置にセットしなければなないため、提示位置が分かりにくく、書類をセットする作業に手間取りがちである。
【０００８】
また、書類が斜めにセットされてしまった場合は、正しくセットし直してもらう必要があるため、契約処理時間の増大につながる。この場合、斜めイメージの補正処理（例えば回転補正）を行うことで書類の置き直しを不要とすることも可能ではあるが、その補正処理も契約処理時間の増大につながる。さらに、書類の記載内容をＯＣＲ（光学式文字読取り装置）で読み取る場合は、書類が正しい提示位置から傾いたりずれたりしていると文字認識率が低下するため、やはりイメージ補正が必要となって契約処理時間の増大につながる。
【０００９】
そして、特許文献２の装置のように書類を蓋で押さえ付けるものでは、顧客が読取り面上に正しくセットした書類でも、蓋を閉める際に傾いたりずれたりする可能性がある。
【００１０】
本発明は、このような点を考慮してなされたものであり、大きさの異なる書類の提示位置が分かりやすく、書類のセット作業が容易になり、またセットされる書類の傾きやずれを防止できるような画像読取り装置、および、そのような画像読取り装置を備えた自動契約受付機を提供することを目的とする。
【課題を解決するための手段】
【００１１】
第１の発明は、小型書類と、この小型書類よりも面積の大きい大型書類のそれぞれの記載内容を読み取るための画像読取り装置において、前記大型書類に略対応した平面形状を有する透明な読取り面と、この読取り面に対して開閉自在に設けられ、閉じた時に前記読取り面を覆う下蓋と、前記小型書類に略対応した平面形状の凹部として前記下蓋に形成され、前記下蓋を閉じた時に前記読取り面を臨む透明な底面と、前記下蓋の上面に形成された開口とを有する小型書類提示部と、前記下蓋に対して開閉自在に設けられ、閉じた時に前記小型書類提示部の開口を覆う上蓋と、前記読取り面を通じて前記大型書類の記載内容を読み取ると共に、前記読取り面と前記小型書類提示部の底面とを通じて前記小型書類の記載内容を読み取るための光学読取り手段と、を備えたことを特徴とする画像読取り装置である。
【００１２】
この第１の発明によれば、大型書類は下蓋を開いて読取り面上にセットして、小型書類は上蓋を開いて小型書類提示部の底面上にセットして、それぞれ共通の光学読取り手段で記載内容を読み取ることができる。このように小型書類と大型書類とで、提示すべき場所が略対応する平面形状（この「形状」は大きさを含む）によって明確に分けられ、セットする際に開く蓋も別々になっている。このため、大きさの異なる小型書類と大型書類の提示位置が分かりやすく、書類のセット作業が容易になる。
【００１３】
第２の発明は、第１の発明において、前記上蓋内に、前記小型書類提示部の底面に向けて光を照射するための上部光源が設けられており、前記光学読取り手段は、前記上部光源による前記小型書類の透過画像を読み取り可能に構成されているものである。
【００１４】
この第２の発明によれば、小型書類を小型書類提示部の底面上にセットしたままで、その透過画像（例えば運転免許証の透かし模様）をも読み取ることができる。
【００１５】
第３の発明は、第１又は第２の発明において、前記読取り面に、前記大型書類の縁を当接させてその位置を合わせるための大型書類ガイド部を設けたものである。
【００１６】
この第３の発明によれば、読取り面上にセットされる大型書類の傾きやずれを防止することができる。
【００１７】
第４の発明は、第１乃至第３のいずれかの発明において、前記小型書類提示部の底面に、前記小型書類の縁を当接させてその位置を合わせるための小型書類ガイド部を設けたものである。
【００１８】
この第４の発明によれば、小型書類提示部の底面上にセットされる小型書類の傾きやずれを防止することができる。
【００１９】
第５の発明は、第１乃至第４のいずれかの発明の画像読取り装置を備え、この画像読取り装置で読み取られた前記大型書類および前記小型書類の記載内容に基づく所定の契約受付処理を行うことを特徴とする自動契約受付機である。
【００２０】
この第５の発明によれば、顧客（利用者）が画像読取り装置に対して大きさの異なる小型書類と大型書類を提示する際の利便性を向上させ、契約処理時間の増大を防止することができる。
【発明を実施するための最良の形態】
【００２１】
次に、図面を参照して本発明の実施の形態一実施形態について説明する。図１乃至図７は本発明による画像読取り装置を備えた自動契約受付機の実施の形態を示す図である。以下、本実施形態の自動契約受付機の全体構成、画像読取り装置の具体的構成、操作手順および作用効果、並びに変形例について順次説明する。
【００２２】
［自動契約受付機の全体構成］
図１に示す自動契約受付機Ａは、画像読取り装置１ａと、この画像読取り装置１ａが取り付けられた機体２とを備えいてる。機体２は、その前部中央に水平な書類記入台２０を有し、この書類記入台２０の右側に画像読取り装置１ａが配置されている。この画像読取り装置１ａは、小型書類（ここでは運転免許証）と、この小型書類よりも面積の大きい大型書類（ここではＡ４サイズの申込書および契約書）のそれぞれの記載内容等を読み取るためのものである。また、機体２の前部上側には、タッチパネル式ディスプレイ２２が設けられている。このディスプレイ２２と書類記入台２０との間には、左側に書類発行口２４およびカード取扱口２６が、略中央に顧客（利用者）を撮影するための対人カメラ２８が、それぞれ設けられている。
【００２３】
図２に示すように、この自動契約受付機Ａは、ルーター８を介して金融機関等のセンター（オペレータ端末）Ｂと通信回線Ｃで接続される制御部４を備えている。この制御部４には、上記の画像読取り装置１ａ、タッチパネル式ディスプレイ２２および対人カメラ２８の他、プリンタ５、通話装置６、カード処理装置７および取込み手段１ｂが接続されている。
【００２４】
このうち、プリンタ５は、書類発行口２４（図１）から発行される大型書類を印刷するためのものである。また、通話装置６は、センターＢのオペレータと通話するためのものであり、例えばＩＰ電話装置等からなる。そして、カード処理装置７は、カード取扱口２６からのカードの発行や、カード取扱口２６に挿入されたカードからの情報の読取り等を行うためのものである。
【００２５】
また、取込み手段１ｂは、画像読取り装置１ａと共に書類読取り回収ユニット１に組み込まれるものである。この読取り回収ユニット１は、図３乃至図６に示すように、画像読取り装置１ａおよび取込み手段１ｂの他に、書類回収箱１ｃを備えている。この読取り回収ユニット１のうち、画像読取り装置１ａの上部は機体２（書類記入台２０）の表面に露出しているが（図１）、その他の部分は機体２内に納められている。後述するように、この読取り回収ユニット１は、画像読取り装置１ａで読み取られた大型書類（申込書および契約書）を、取込み手段１ｂによって機体２内に取り込んで書類回収箱１ｃに回収できるように構成されている（図６）。なお、取込み手段１ｂは、例えば搬送ベルトやローラ等によって構成される。
【００２６】
［画像読取り装置の構成］
次に、主に図３乃至図７を参照して、上記画像読取り装置１ａの具体的構成について説明する。
【００２７】
図３乃至図６に示すように、画像読取り装置１ａは、透明な読取り面１０（図５および図６）の形成された上板１３と、この上板１３（読取り面１０）に対して開閉自在に設けられた下蓋１２と、読取り面１０の下に配置された光学読取り手段１８（図６）とを備えいてる。この画像読取り装置１ａは、図１に示す自動契約受付機Ａの機体２に対して、上板１３が書類記入台２０と略面一となるように取り付けられる。
【００２８】
図６に示す光学読取り手段１８は、当業者に周知のスキャナ装置に用いられるイメージセンサや駆動機構等によって構成されている。また、図５および図６に示す読取り面１０は、透明なガラス板で構成され、大型書類（ここではＡ４サイズの用紙）に対応した平面形状を有している（この「形状」は大きさを含む。以下同様）。また、下蓋１２は、読取り面１０に対して閉じた時に、読取り面１０の全体を覆うと共に、読取り面１０に対して大型書類を軽く押さえ付けるように構成されている。
【００２９】
次に、図４、図６および図７に示すように、下蓋１２の略中央部には、小型書類提示部１４が、小型書類Ｄ（図７）に略対応した（寸法的には一回り大きい）平面形状の凹部として形成されている。この小型書類提示部１４は、下蓋１２を閉じた時に読取り面１０を臨むように下蓋１２の底面に対応して設けられた透明な底面１４ａと、下蓋１２の上面に形成された開口１４ｂ（図４）とを有している。
【００３０】
また、画像読取り装置１ａは、図３乃至図６に示すように、下蓋１２に対して開閉自在に設けられた上蓋１６を備えている。この上蓋１６は、下蓋１２に対して閉じた時に、小型書類提示部１４の開口１４ｂ全体を覆うようになっている。図６および図７に示すように、上蓋１６内には、上蓋１６を閉じた時に小型書類提示部１４の底面１４ａに向けて光を照射するための上部光源１７が設けられている。このため、上蓋１６の底面には、小型書類提示部１４に対応した透明な底窓１６ａが形成されている（図４参照）。
【００３１】
次に、図５に示すように、読取り面１０の前縁および両側縁の部分には、大型書類の縁を当接させてその位置を合わせるためのリブ状の大型書類ガイド部１１が設けられている。また、図４および図７に示すように、小型書類提示部１４の底面１４ａには、小型書類Ｄ（図７）の縁を当接させてその位置を合わせるための小型書類ガイド部１５が設けられている。この小型書類ガイド部１５は、小型書類提示部１４の底面１４ａ上に、小型書類Ｄに対応した（提示部１４全体より一回り小さい）平面形状の浅い凹部を設けることで、その凹部の外周縁１５として形成されている。なお、小型書類ガイド部１５の後側には、小型書類Ｄの取り出しを容易にするための指掛け用の抉り１５ａが設けられている。
【００３２】
図６および図７に示すように、光学読取り手段１８は、読取り面１０を通じて（その上にセットされた）大型書類の記載内容を読み取ると共に、読取り面１０と小型書類提示部１４の底面１４ａとを通じて（その底面１４ａ上にセットされた）小型書類Ｄの記載内容を読み取るようになっている。それらの場合、光学読取り手段１８は、各書類に対して光を照射し、その反射光を利用して各書類の記載内容を読み取る（図７に小型書類Ｄからの反射光Ｌ１を示す）。
【００３３】
また、光学読取り手段１８は、上蓋１６内の上部光源１７による小型書類Ｄの透過画像を読み取り可能に構成されている。その場合、光学読取り手段１８は、上部光源１７から照射された光のうち、小型書類Ｄを透過した透過光Ｌ２（図７）を利用して小型書類Ｄの透過画像を読み取る。小型書類Ｄの透過画像としては、例えば運転免許証の真贋鑑定のために、その透かし模様が読み取られる。
【００３４】
なお、下蓋１２および上蓋１６は、図６に示すように、それぞれの後方に配置された横方向の回動軸Ｐ１，Ｐ２を中心として回動式に開閉するように構成されている。また、下蓋１２の開閉を検知するための検知手段Ｓ１（図５および図６）と、上蓋１６の開閉を検知するための検知手段Ｓ２（図４）とがそれぞれ設けられている。
【００３５】
［操作手順］
次に、以上のように構成された自動契約受付機Ａの操作手順の一例として、新規貸付契約処理を行う場合の操作手順について説明する。
【００３６】
まず、顧客（利用者）が、図１に示すタッチパネル式ディスプレイ２２上のメニューから新規貸付契約を選択すると、書類発行口２４から大型書類としての申込書が発行される。次に、顧客が記入した申込書の記載内容が、画像読取り装置１ａによって読み取られる。その場合、図５に示すように画像読取り装置１ａの下蓋１２を開いて読取り面１０上に申込書をセットしてから、再び下蓋１２を閉じた状態で読取りが行われる。読み取られた申込書の記載内容は、図２に示す金融機関等のセンター（オペレータ端末）Ｂに送信される。読み取られた申込書は、図６に示す取込み手段１ｂによって機体２内取り込まれるが、この段階では回収箱１ｃには回収されずに取込み手段１ｂ内で一時保留される。
【００３７】
次に、図４に示すように下蓋１２を閉じたまま上蓋１６を開く。そして、図７に示すように小型書類提示部１４の底面１４ａ上に小型書類である運転免許証Ｄをセットしてから上蓋１６を閉じる。この状態で運転免許証の記載内容および透過画像が読み取られ、その内容が図２に示すセンター（オペレータ端末）Ｂに送信される。なお、対人カメラ２８によって撮影される顧客の映像もセンター（オペレータ端末）Ｂに送信される。
【００３８】
センターＢでは、送信された内容に基づいて審査が行われる。具体的には、申込書の記載内容等の確認に加えて、運転免許証の顔写真と対人カメラ２８の映像との照合による本人確認も行われる。この審査にて所定の契約条件を満たして合格となれば、図１に示す自動契約受付機Ａの書類発行口２４から大型書類としての契約書が発行される。また、図６に示す取込み手段１ｂ内で一時保留されていた申込書が回収箱１ｃに回収される。
【００３９】
次に、顧客が署名等を記入した契約書の記載内容が、画像読取り装置１ａによって読み取られる。その場合、図５に示すように画像読取り装置１ａの下蓋１２を開いて読取り面１０上に契約書をセットしてから、再び下蓋１２を閉じた状態で読取りが行われる。読み取られた契約書の記載内容は、図２に示すセンター（オペレータ端末）Ｂに送信される。センターＢでは送信された契約書の記載内容が確認される。そして、記載内容に問題がなければ、図６に示す取込み手段１ｂによって、画像読取り装置１ａの読取り面１０上から取り込まれた契約書が、機体２内の回収箱１ｃに回収される。
【００４０】
そして、センター（オペレータ端末）Ｂからの指令により、自動契約受付機Ａのカード取扱口２６からローンカード等のカードが発行され、新規貸付契約処理が完了する。このカードは、例えば自動契約受付機Ａに併設されたＡＴＭから借入金を引き出すために使用される。
【００４１】
［作用効果］
次に、以上のように構成された画像読取り装置１ａと、これを備えた自動契約受付機Ａの作用効果について説明する。
【００４２】
本実施形態の画像読取り装置１ａによれば、大型書類は下蓋１２を開いて対応する平面形状の読取り面１０上にセットして、小型書類は上蓋１６を開いて略対応する平面形状の小型書類提示部の底面１４ａ上にセットして、それぞれ共通の光学読取り手段８で記載内容を読み取ることができる。なお、上蓋１６内の上部光源１７を利用することで、小型書類Ｄを小型書類提示部の底面１４ａ上にセットしたままで、その透過画像（例えば運転免許証の透かし模様）をも光学読取り手段８で読み取ることができる。
【００４３】
このように小型書類と大型書類とで、提示すべき場所（読取り面１０と小型書類提示部１４）が略対応する平面形状によって明確に分けられ、セットする際に開く蓋１２，１６も別々になっている。このため、大きさの異なる小型書類と大型書類の提示位置が分かりやすく、書類のセット作業が容易になる。
【００４４】
また、大型書類用ガイド部１１によって、読取り面１０上にセットされる大型書類の傾きやずれを（特にセット後に下蓋１２を閉じる場合にも）防止することができる。また、小型書類ガイド部１５によって、小型書類提示部の底面１４ａ上にセットされる小型書類Ｄの傾きやずれを防止することができる。
【００４５】
従って、このような画像読取り装置１ａを備えた本実施形態の自動契約受付機Ａによれば、顧客（利用者）が画像読取り装置１ａに対して大きさの異なる小型書類と大型書類を提示する際の利便性を向上させ、契約処理時間の増大を防止することができる。
【００４６】
［変形例］
（１）小型書類提示部１４は、必ずしも下蓋１２の中央部に設ける必要はなく、顧客の操作性その他を考慮した上で、下蓋１２の任意の位置に設けることができる。
【００４７】
（２）各蓋１２，１６は、必ずしも回動式に開閉する必要はなく、スライダやリンク等を用いることにより、並進移動や、並進移動と回動との組合せ等の動作により開閉するようにしてもよい。
【００４８】
（３）小型書類Ｄの透過画像を読み取る必要がない場合には、上蓋１６内の光源１７を省略してもよい。その場合、上蓋１６は単純な薄板形状等とすることもできる。
【図面の簡単な説明】
【００４９】
【図１】本発明による画像読取り装置を備えた自動契約受付機の一実施形態を示す斜視図。
【図２】図１に示した自動契約受付機の制御系等を示すブロック図。
【図３】図１に示した自動契約受付機の書類読取り回収ユニットを、画像読取り装置の上蓋および下蓋を閉じた状態で示す斜視図。
【図４】図３に示した書類読取り回収ユニットを、画像読取り装置の上蓋を開いた状態で示す斜視図。
【図５】図３に示した書類読取り回収ユニットを、画像読取り装置の下蓋を開いた状態で示す斜視図。
【図６】図３に示した書類読取り回収ユニットの内部を一部省略して示す縦断面図。
【図７】図６に示した書類読取り回収ユニットの縦断面において、画像読取り装置の小型書類提示部周辺を拡大して示す図。
【符号の説明】
【００５０】
Ａ  自動契約受付機
１  書類読取り回収ユニット
１ａ  画像読取り装置
１０  読取り面
１１  大型書類ガイド部
１２  下蓋
１４  小型書類提示部
１４ａ  底面
１４ｂ  開口
１５  小型書類ガイド部
１６  上蓋
１６ａ  底窓
１７  上部光源
１８  光学読取り手段
１ｂ  取込み手段
１ｃ  書類回収箱
２  機体
２０  書類記入台
２２  タッチパネル式ディスプレイ
２４  書類発行口
２６  カード取扱口
２８  対人カメラ
４  制御部
５  プリンタ
６  通話装置
７  カード処理装置
８  ルーター
Ｂ  センター（オペレータ端末）
Ｃ  通信回線
Ｄ  小型書類（運転免許証）
Ｌ１  反射光
Ｌ２  透過光
【図１】
2005159552.tif 000003
【図２】
2005159552.tif 000004
【図３】
2005159552.tif 000005
【図４】
2005159552.tif 000006
【図５】
2005159552.tif 000007
【図６】
2005159552.tif 000008
【図７】
2005159552.tif 000009